(57)【要約】【課題】  システム全体として重複部分の無駄を少なくし、経済的に有利な検眼システムを提供する。【解決手段】  眼の屈折力を他覚的に測定する他覚測定装置であって，測定部と，測定部を移動する駆動機構と，前眼部像を表示するモニタと，測定部を移動させる移動信号を入力する操作部材とが一体的に設けられた他覚測定装置と、他覚測定装置とは分離された筐体として構成され，眼の屈折力を自覚的に測定する自覚検眼ユニットと、を備える検眼システムにおいて、検眼システムは他覚モードと自覚モードとを切換える測定モード切換え手段を持ち、他覚測定装置には自覚検眼ユニットの操作信号を入力するための自覚操作部材を設け、自覚モード時には、モニタに自覚検眼ユニットの自覚検眼情報を表示させると共に、自覚操作部材の操作信号の入力を可能にし、他覚測定装置を自覚検眼ユニットのコントローラとして兼用する構成とした。【選択図】      図１
2006101942.tif 000002
【特許請求の範囲】
【請求項１】
被検眼眼底に光束を投影し，眼底からの反射光束を受光して被検眼の屈折力を他覚的に測定する他覚式眼屈折力測定装置であって，眼屈折力測定光学系及び前眼部撮像光学系が配置された測定部と，該測定部を被検眼に対して移動する駆動機構と，前記撮像光学系で撮像された前眼部像を表示するためのモニタと，前記測定部を被検眼に対して移動させるための移動信号を入力する操作部材とが一体的に設けられた他覚式眼屈折力測定装置と、該他覚式眼屈折力測定装置とは分離された別の筐体として構成され，検査窓に光学素子を切換え配置して被検眼の屈折力を自覚的に測定する自覚式検眼ユニットと、を備える検眼システムにおいて、
該検眼システムは他覚測定モードと自覚測定モードとを切換える測定モード切換え手段を持ち、前記他覚式眼屈折力測定装置には前記自覚式検眼ユニットの操作信号を入力するための自覚用操作部材を設け、自覚測定モード時には、前記モニタに自覚式検眼ユニットの自覚検眼情報を表示させると共に、前記自覚用操作部材の操作信号の入力を可能にし、前記他覚式眼屈折力測定装置を前記自覚式検眼ユニットのコントローラとして兼用する構成としたことを特徴とする検眼システム。
【請求項２】
請求項１の検眼システムにおいて、前記他覚用操作部材は前記自覚用操作部材の少なくとも一部を兼用する構成としたことを特徴とする検眼システム。
【請求項３】
請求項１の検眼システムにおいて、前記モニタはタッチパネル式のモニタであり、自覚測定モード時には前記モニタのタッチパネルに前記自覚用操作部材としての操作信号入力用のスイッチを表示する構成としたことを特徴とする検眼システム。
【請求項４】
請求項１の検眼システムは、検眼テーブルと、前記他覚式眼屈折力装置を搭載し、前記検眼テーブル上の測定位置と退避位置との間で移動可能なトレイと、該トレイが測定位置から退避位置に移動したことを検知する検知手段とを備え、前記検知手段の検知信号を前記測定モードの切換え信号に使用したことを特徴とする検眼システム。
【請求項５】
請求項１の検眼システムは、検眼テーブルと、前記他覚式眼屈折力装置を搭載し、前記検眼テーブル上の測定位置と退避位置との間で移動可能なトレイと、前記他覚式眼屈折力装置の向きを変更するために前記トレイを回転する回転機構と、前記トレイの回転を固定する固定機構と、を設けたことを特徴とする検眼システム。
【請求項６】
被検眼眼底に光束を投影し，眼底からの反射光束を受光して被検眼の屈折力を他覚的に測定する他覚式眼屈折力測定装置であって，眼屈折力測定光学系及び前眼部撮像光学系が配置された測定部と，該測定部を被検眼に対して移動する駆動機構とが一体的に設けられた他覚式眼屈折力測定装置と、該他覚式眼屈折力測定装置とは分離された別の筐体として構成され，検査窓に光学素子を切換え配置して被検眼の屈折力を自覚的に測定する自覚式検眼ユニットと、該自覚式検眼ユニットと分離され，自覚式検眼ユニットを操作するための信号を入力する操作部材及び自覚検眼情報を表示するモニタが設けられたコントローラと、を備える検眼システムにおいて、
該検眼システムは他覚測定モードと自覚測定モードとを切換える測定モード切換え手段を持ち、前記コントローラにはさらに前記前記他覚式眼屈折力測定装置の操作信号を入力する他覚用操作部材を設け、他覚測定モード時には、前記モニタに前記撮像光学系で撮像された前眼部像を表示させると共に、前記他覚用操作部材の操作信号の入力を可能にし、前記コントローラを前記他覚式眼屈折力測定装置のコントローラとして兼用する構成としたことを特徴とする検眼システム。
【請求項７】
請求項６の検眼システムにおいて、前記コントローラは前記他覚式眼屈折力測定装置の測定部を被検眼に対して移動させるための操作信号を入力するアライメント用操作部材を備え、前記他覚式眼屈折力測定装置は前記アライメント用操作部材から入力された操作信号に基づいて前記駆動機構を制御する駆動制御手段を備えることを特徴とする検眼システム。
【請求項８】
請求項６の検眼システムにおいて、前記自覚用操作部材は前記他覚用操作部材の少なくとも一部を兼用する構成としたことを特徴とする検眼システム。
【発明の詳細な説明】
【技術分野】
【０００１】
本発明は、被検眼の検眼を行う検眼システムに関する。
【背景技術】
【０００２】
被検眼の検眼を行うための検眼システムとしては、一般に、検査窓に光学素子を切換え配置して被検眼の屈折力を自覚的に測定する自覚検眼ユニットと、被検眼に検査用視標を呈示する視標呈示装置と、自覚検眼ユニットや視標呈示装置を操作するための操作部材及び自覚検眼情報を表示するモニタが設けられたコントローラと、被検眼の屈折力を他覚的に測定する他覚式眼屈折力測定装置と、を備えたものが知られている（例えば、特許文献１参照）。他覚式眼屈折力測定装置は、検眼テーブル上で測定位置と退避位置の間で移動可能なトレイ上に載せられている。
【特許文献１】特開平１１−１２８１６８号公報
【発明の開示】
【発明が解決しようとする課題】
【０００３】
従来の検眼システムで使用される他覚式眼屈折力測定装置は、通常単体で使用される据え置き型の装置をそのまま検眼テーブル上に載せているものである。このため、他覚式眼屈折力測定装置には、単体使用で測定に必要な操作部材やアライメントのために前眼部像を表示するモニタ、プリンタ等が設けられた構成となっている。しかし、他覚式眼屈折力測定装置を自覚検眼ユニットと共に検眼システムとして使用する場合、両者に重複した部分が多くあり、検眼システム全体として見ると無駄な構成となっている。重複部分が多いことは、その分配置スペースも必要となり、システムのコンパクトも不利である。
【０００４】
本発明は、上記問題点に鑑み、システム全体として重複部分の無駄を少なくし、経済的に有利な検眼システムを提供することを技術課題とする。
【課題を解決するための手段】
【０００５】
（１）  被検眼眼底に光束を投影し，眼底からの反射光束を受光して被検眼の屈折力を他覚的に測定する他覚式眼屈折力測定装置であって，眼屈折力測定光学系及び前眼部撮像光学系が配置された測定部と，該測定部を被検眼に対して移動する駆動機構と，前記撮像光学系で撮像された前眼部像を表示するためのモニタと，前記測定部を被検眼に対して移動させるための移動信号を入力する操作部材とが一体的に設けられた他覚式眼屈折力測定装置と、該他覚式眼屈折力測定装置とは分離された別の筐体として構成され，検査窓に光学素子を切換え配置して被検眼の屈折力を自覚的に測定する自覚式検眼ユニットと、を備える検眼システムにおいて、該検眼システムは他覚測定モードと自覚測定モードとを切換える測定モード切換え手段を持ち、前記他覚式眼屈折力測定装置には前記自覚式検眼ユニットの操作信号を入力するための自覚用操作部材を設け、自覚測定モード時には、前記モニタに自覚式検眼ユニットの自覚検眼情報を表示させると共に、前記自覚用操作部材の操作信号の入力を可能にし、前記他覚式眼屈折力測定装置を前記自覚式検眼ユニットのコントローラとして兼用する構成としたことを特徴とする。
（２）  （１）の検眼システムにおいて、前記他覚用操作部材は前記自覚用操作部材の少なくとも一部を兼用する構成としたことを特徴とする。
（３）  （１）の検眼システムにおいて、前記モニタはタッチパネル式のモニタであり、自覚測定モード時には前記モニタのタッチパネルに前記自覚用操作部材としての操作信号入力用のスイッチを表示する構成としたことを特徴とする。
（４）  （１）の検眼システムは、検眼テーブルと、前記他覚式眼屈折力装置を搭載し、前記検眼テーブル上の測定位置と退避位置との間で移動可能なトレイと、該トレイが測定位置から退避位置に移動したことを検知する検知手段とを備え、前記検知手段の検知信号を前記測定モードの切換え信号に使用したことを特徴とする。
（５）  （１）の検眼システムは、検眼テーブルと、前記他覚式眼屈折力装置を搭載し、前記検眼テーブル上の測定位置と退避位置との間で移動可能なトレイと、前記他覚式眼屈折力装置の向きを変更するめに前記トレイを回転する回転機構と、前記トレイの回転を固定する固定機構と、を設けたことを特徴とする。
（６）  被検眼眼底に光束を投影し，眼底からの反射光束を受光して被検眼の屈折力を他覚的に測定する他覚式眼屈折力測定装置であって，眼屈折力測定光学系及び前眼部撮像光学系が配置された測定部と，該測定部を被検眼に対して移動する駆動機構とが一体的に設けられた他覚式眼屈折力測定装置と、該他覚式眼屈折力測定装置とは分離された別の筐体として構成され，検査窓に光学素子を切換え配置して被検眼の屈折力を自覚的に測定する自覚式検眼ユニットと、該自覚式検眼ユニットと分離され，自覚式検眼ユニットを操作するための信号を入力する操作部材及び自覚検眼情報を表示するモニタが設けられたコントローラと、を備える検眼システムにおいて、該検眼システムは他覚測定モードと自覚測定モードとを切換える測定モード切換え手段を持ち、前記コントローラにはさらに前記前記他覚式眼屈折力測定装置の操作信号を入力する他覚用操作部材を設け、他覚測定モード時には、前記モニタに前記撮像光学系で撮像された前眼部像を表示させると共に、前記他覚用操作部材の操作信号の入力を可能にし、前記コントローラを前記他覚式眼屈折力測定装置のコントローラとして兼用する構成としたことを特徴とする。
（７）  （６）の検眼システムにおいて、前記コントローラは前記他覚式眼屈折力測定装置の測定部を被検眼に対して移動させるための操作信号を入力するアライメント用操作部材を備え、前記他覚式眼屈折力測定装置は前記アライメント用操作部材から入力された操作信号に基づいて前記駆動機構を制御する駆動制御手段を備えることを特徴とする。
（８）  （６）の検眼システムにおいて、前記自覚用操作部材は前記他覚用操作部材の少なくとも一部を兼用する構成としたことを特徴とする。
【発明の効果】
【０００６】
本発明によれば、システム全体として重複部分の無駄が少なくなり、経済的に有利な検眼システムを構成できる。また、システムのコンパクト化も可能になる。
【発明を実施するための最良の形態】
【０００７】
以下、本発明の実施形態を図面に基づいて説明する。図１は第１の実施形態の検眼システム全体の概略構成図であり、図２は検眼システム全体の制御系ブロック図である。検眼システムは、検眼テーブル１０と、自覚検眼装置本体（自覚検眼ユニット）１と、視標呈示装置２０と、他覚式眼屈折力測定装置３０（以下、他覚測定装置と省略する）とから概略構成されている。
【０００８】
自覚検眼装置本体１は、左右対称な一対のレンズ室ユニット２と、この左右のレンズ室ユニット２を吊下げ支持する移動ユニット３と、を備える。左右のレンズ室ユニット２の筐体内部には、種々の光学素子を同一円周上に配置した複数のレンズディスクが回転可能に設けられ、光学素子が検査窓４に切換配置される。なお、種々の光学素子としては、例えば、球面レンズ、円柱レンズ、クロスシリンダレンズ等が挙げられ、そのうち球面レンズや円柱レンズ等は、レンズディスク内に所定の度数ステップごとに複数設けられている。自覚式検眼装置本体１は、検眼テーブル１０の支柱１１から伸びるアーム１２に吊り下げられている。
【０００９】
視標呈示装置２０は、検眼装置本体１から所定距離（例えば１ｍ程度）だけ離れた位置に置かれ、検査視標を被検者に呈示する。視標呈示装置２０の内部には、回転可能な視標ディスク板や視標照明光源を持つ視標投影ユニット２１、ビームスプリッタ２２、凹面ミラー２３等の視標呈示光学系が設けられている。凹面ミラ２３ーを使用することにより、視標呈示距離を５ｍの遠方にすることができる。視標ディスク板を回転して呈示視標を光路に切換え配置することで、検査に必要な視標を選択する。視標光束は、ビームスプリッタ２２で反射され、窓２４を介して被検眼Ｅに向かう。この視標呈示装置２０の構成は周知であるので、その説明は省略する。
【００１０】
他覚測定装置３０は、図３に示すように、基台３１と、基台３１に取り付けられ顎受け３２ａを有する顔支持ユニット３２と、基台３１上に移動可能に設けられた移動台３３と、移動台３３に移動可能に設けられるとともに眼屈折力測定光学系３４ａ及び前眼部測定光学系３４ｂを収納する測定部３４を備える。眼屈折力測定光学系３４ａは、被検眼眼底に測定光束を投影する投影光学系と、眼底からの反射光束を受光素子に受光させる受光光学系とを備え、受光素子の出力に基づいて被検眼の屈折力（球面度数Ｓ、乱視度数Ｃ、乱視軸角度Ａ）が演算される。この測定光学系３４ａは、周知の構成のものが使用できるので、詳しい説明は省略する。前眼部測定光学系３４ｂは、ビームスプリッタ等により測定光学系の光軸から分岐された光路に設けられた撮影レンズ、撮像素子等を備える。撮像素子により前眼部が撮像される。その前眼部像は、移動台３３に設けられたモニタ３７に表示される。
【００１１】
測定部３４は、移動台３３に設けられたＸＹＺ駆動部３６により、被検眼Ｅに対して左右方向（Ｘ方向）、上下方向（Ｙ方向）及び前後方向（Ｚ方向）に移動される。駆動部３６は、Ｘ，Ｙ，Ｚの方向毎に設けられたスライド機構、モータ等から構成される。また、他覚測定装置３０は、被検眼に投影されたアライメント指標を基に、被検眼に対する測定部３４のアライメント状態を検出し、その検出結果に基づいてＸＹＺ駆動部３６を駆動制御させる、いわゆるオートアライメント機能を備える。アライメント指標の検出光学系は、前眼部撮像光学系３４ｂが兼用している。
【００１２】
移動台３３の検者側には、操作部４０が設けられている。操作部４０は、タッチパネル機能を有する表示モニタ３７と、移動台３３を基台３１上で前後左右に移動するためのジョイスティック３５と、ジョイスティック３５に設けられた回転ノブ３５ａ及び頂部スイッチ３５ｂと、ジョイスティック３５の近傍に設けられたスイッチ３８ａ及び３８ｂと、を備える。これら操作部４０に配置された各構成部材は、後述する測定モード選択により、他覚測定モード時には他覚測定装置３０用の表示モニタ及び操作部材として用いられ、自覚測定モード時には自覚検眼装置本体１側のコントローラとしての表示モニタ及び操作部材として兼用される。
【００１３】
図４は、他覚測定装置３０を搭載するトレイ６０の構成を説明する概略図である。図４（ａ）は、他覚測定装置３０の操作部４０が視標呈示装置２０側にある時の図である。図４（ｂ）は、他覚測定装置３０が検眼テーブル１０上で図１のような状態にある時の図である。６１は移動支基であって、検眼テーブル１０に設けられた図示なきガイド機構によって、検眼テーブル１０上を左右方向に移動可能な構成となっている。また、移動支基６１には、トレイ６０が回転軸６２を中心に回転可能に固定されている。これにより、図１の退避位置では、他覚測定装置３０の向きを任意の方向に向かせることが可能である。また、トレイ６０には、トレイ６０自体の回転動作を停止させるストッパー部材６３が設けられている。本実施例のストッパー部材６３は、回転ノブ６３ａの回転操作によりゴム板６３ｂが下方に移動され、このゴム板６３ｂと移動支基６１との間で摩擦力を生じさせることにより、回転動作を停止させる構成となっている（なお、停止の解除は、回転ノブ６３ａを逆回転させる）。さらに、検眼テーブル１０には、トレイ６０に載せられた他覚測定装置３０が検眼テーブル１０のほぼ中央の測定位置に置かれたことを検知する測定位置検知部１３と、他覚測定装置３０が検眼テーブル１０の端の退避位置に置かれたことを検知する退避位置検知部１４と、が設けられている。これら検知部１３及び１４は、マイクロスイッチ等の周知の検知機構で構成することができる。検知部１３及び１４の検知信号は、測定モードを他覚測定モードと自覚測定モードに切換えるモード切換え信号（測定モード切換え手段）として使用される。
【００１４】
図２において、制御部７０は、他覚測定装置３０の各構成要素の制御及び眼屈折力の演算を行う役割を持つ。自覚測定モードに切換えられたときには、制御部７０は操作部４０のスイッチ信号を自覚測定用の操作信号として入力可能とし、リレーユニット５０を介して検眼装置本体１及び視標呈示装置２０に出力する。なお、検知部１３及び１４の検知信号は、リレーユニット５０を介して制御部７０に入力され、制御部７０はこの検知信号を使用して測定モードを自動的に切換える。
【００１５】
図５は、他覚測定モードにおける操作部４０の機能を説明する図である。トレイ６０と共に他覚測定装置３０を検眼テーブル１０上の測定位置に移動すると、検知部１３の検知信号が制御部７０に入力され、他覚測定モードに切換えられる。他覚測定モードにおいては、制御部７０は前眼部撮像光学系３４ｂにより撮像された前眼部像１００をモニタ３７に表示させる。検者はモニタ３７に表示された前眼部像１００を観察し、ジョイスティック３５及び回転ノブ３５ａを操作し、被検眼に対して測定部３４をアライメント移動する。ジョイスティック３５を前後左右に傾けると、移動台３３が基台３１上でＸ方向及びＺ方向に移動する。回転ノブ３５ａを回すと、その操作信号が測定部３４を上下に移動させるための移動信号として入力される。制御部７０は、回転ノブ３５ａの操作信号により、ＸＹＺ駆動部３６のＹ方向駆動部を駆動して測定部３４をＹ方向に移動させる。ジョイスティク３５及び回転ノブ３５ａは、オートアライメントが作動するまでの粗調整や、オートアライメントでは不向きな被検眼を測定するための手動アライメントのときに使用する。オートアライメントと手動アライメントは、モニタ３７で表示されているスイッチ１０５で切換えることができる。
【００１６】
また、スイッチ３８ａ及び３８ｂを押すことにより、モータやスライド機構からなる顎受け移動機構５４が駆動して顎受け３２ａが上下に移動する。アライメントが完了したときには、スイッチ３５ｂを押して眼屈折力測定を開始する。測定光学系３５ａで測定された測定結果は、モニタ３７に表示される。なお、他覚測定データをプリントアウトするときは、モニタ３７に表示されているスイッチ１０６を押すことにより、プリンタ５２から測定結果がプリントアウトされる。
【００１７】
他覚測定終了後に引き続き自覚検眼を行う際には、トレイ６０と共に他覚測定装置３０を検眼テーブル１０上の退避位置に移動すると、検知部１４の検知信号が制御部７０に入力され、自覚測定モードに切換えられる。検者はモニタ３７が見やすい方向にトレイ６０を回転させ、図示なき固定機構でトレイ６０の回転を固定する。
【００１８】
図６は、自覚測定モードにおける操作部４０の機能を説明するための図である。自覚測定モードに切換えると、制御部７０は、表示モニタ３７に自覚測定データや検眼装置本体１及び視標呈示装置２０を操作するための信号を入力可能とするスイッチ等を表示する。１４１は自覚検眼データ表示部であり、その中央部には現在の自覚検眼の測定データ（球面度数Ｓ、乱視度数Ｃ、乱視軸角度Ａ等）が表示される。また、その横には、自覚検眼の際に参考とする他覚測定データが表示される。その下には、呈示中の視標やプログラム検眼で次の検査段階で呈示される視標が表示される。測定データ表示部４１のＲの文字を押すと右眼測定が選択され、Ｌの文字を押すと左眼測定が選択されるようになっている。また、検眼データ表示部１４１中央の両眼の文字を押すと、両眼測定が選択されるようになっている。
【００１９】
１４３は設定切換えスイッチ群であり、測定データ表示部１４１の表示をメニュー画面の表示に切り替えてパラメータの設定等を行うときに使用するスイッチを持つ。１４４は視標呈示装置２０に呈示させる視標を切換える視標スイッチ群、１４５は呈示視標に必要なマスクをかけるマスクスイッチ群、１４６は度数を調整する測定項目（Ｓ，Ｃ，Ａ、プリズム度等）を指定する測定項目指定スイッチ群、１４７はデータを入力する項目を指定する入力データ指定スイッチ群、１４８は他覚式眼屈折力測定装置やレンズメータからのデータを入力するための入力スイッチ、１４９は検査結果データを出力するプリントスイッチである。１５０はシフトキーであって、シフトキー１５０を押しながらスイッチを操作すると、スイッチの持つ機能が変化するようになっている。１５１は予め検査手順が定められたプログラム検眼をスタートする際のスイッチである。
【００２０】
また、ジョイスティック３５の回転ノブ３５ａは測定値の変更や数値入力に用いられ、回転ノブ３５ａを回すと、例えば、検眼窓４に配置されるレンズの屈折度数（球面度数Ｓ、乱視度数Ｃ、乱視軸角度Ａ）の切換えが行われる。また、ジョイスティック３５の頂部に設けられたスイッチ３５ｂは、メモリ５３に記憶された検眼プログラムの検査段階を次に進める時に用いられる。また、スイッチ３８ａ及び３８ｂは、乱視軸検査及び乱視度数検査において検眼窓４に配置されるクロスシリンダレンズを反転切換するのに用いられる。
【００２１】
他覚測定モードから自覚測定モードに切換えると、制御部７０は、モニタ３７に自覚測定用のタッチスイッチ及び自覚検眼情報を表示させると共に、回転ノブ３５ａ、スイッチ３５ｂ、スイッチ３８ａ及び３８ｂ等の操作部材を、自覚測定用の操作部材として機能させ、自覚測定用の操作信号の入力を可能とする。他覚測定装置３０により得られた測定データは、スイッチ群１４７の他覚スイッチと入力スイッチ１４８を押すことにより、メモリ５３の自覚測定領域に記憶され、検査窓４にはその他覚測定データに対応した屈折度数のレンズに切換えられる。その後、測定項目指定スイッチ群１４６のＳスイッチ、Ｃスイッチ、Ａスイッチ等を押すことで測定項目を指定した後、回転ノブ３５ａの回転操作により指定された項目のレンズを切換えることで、自覚検眼を進めることができる。また、スイッチ１５１で検眼プログラムを実行した際には、スイッチ３５ｂを押すごとに次の検査段階に進められ、測定項目や検査視標が自動的に予めプログラムされたものに切換えられる。検査終了後に、プリントスイッチ１４９を押すと、他覚測定装置３０で兼用されるプリンタ５２から自覚検眼の測定結果がプリントアウトされる。
【００２２】
以上のように他覚測定装置３０の操作部は、自覚測定モードに切換えると、自覚測定用のコントローラの機能に切り換わる。他覚測定装置３０、検眼装置本体１及び視標呈示装置２０の操作部が一つのコントローラユニットとして一体化されたため、検眼システム全体としての無駄を解消することができる。また、他覚測定装置３０自体を自覚検眼用のコントローラとして兼用したため、検眼テーブル上にコントローラを載置する必要がなくなり、検眼システム全体の省スペース化を実現できる。
【００２３】
なお、他覚測定用の操作部材と自覚測定用の操作部材は、できるだけ兼用することが好ましいが、他覚測定用と自覚測定用とそれぞれ専用に設けられたスイッチがあっても良い。この場合、制御部７０は、他覚測定モード時には他覚測定用操作部材の信号入力を可能とするが、自覚測定用操作部材の信号入力を不可とする。逆に、自覚測定時モード時には他覚測定用操作部材の信号入力を不可とし、自覚測定用操作部材の信号入力を可能とする。また、この実施形態では、モニタ３７にタッチパネル機能を持たせたため、操作信号入力用の操作部材を少なくでき、操作部４０の兼用化に有利である。
【００２４】
上記において、回転ノブ３５ａの回転操作を自覚測定の測定値の変更や数値入力に用いたのは、操作が容易であることに加え、従来のコントローラ（例えば、特開平１１−１２８１６８号公報等に記載）においても回転ダイヤル等の回転操作によってこれらの入力を行うのが一般的であり、検者も操作を慣れているためである。
【００２５】
また、上記ではトレイ６０に搭載された他覚測定装置３０に移動位置に応じて測定モードを切換える構成としたが、モニタ３７のタッチパネルに測定モード切換え用のスイッチを表示させ、検者がスイッチ操作で切換えるようにしても良い。
【００２６】
図７は、本発明の第２の実施形態を説明する図である。第２の実施形態は、自覚検眼装置本体１のコントローラを他覚測定装置３０のコントローラとして兼用するタイプである。すなわち、コントローラが他覚測定装置３０に一体的に組み込まれた第１の実施形態に対して、コントローラが分離された形態となっている。
【００２７】
図７において、コントローラ１４０は、図１で示した検眼テーブル１０上に載置される。コントローラ１４０はモニタ１３７とスイッチパネル１３９を備える。この実施形態においては、モニタ１３７にはタッチパネルの機能を設けておらず、スイッチパネル１３９に操作信号を入力する操作部材を配置している。なお、スイッチパネル１３９に配置された操作部材については、図６に示した符号と同一である場合、同様のスイッチ機能を備えるものとする。また、図１〜図４に示した装置と同一の構成要素については、同一の符号を付し、その説明は省略する。
【００２８】
スイッチパネル１３９に配置されたスイッチ１５２は、他覚測定モードと自覚測定モードとを切換えるためのスイッチである。スイッチ１５２により他覚測定モードに切換えると、制御部７０は他覚測定装置３０の前眼部撮像光学系３５ｂで撮像された前眼部像をモニタ１３７に表示させる。また、他覚測定モード時においては、制御部７０はスイッチパネル１３９に配置された操作部材の入力信号を、他覚測定装置３０を操作するための操作信号として入力可能にする。検者は、前眼部像を観察してジョイスティック３５及び回転ノブ３５ａを操作し、測定部３４を前後・左右・上下に移動してアライメントを行う。この実施形態では、ジョイスティック３５が前後・左右に傾倒操作されたことを電気的に検出する検出手段が設けられており、ジョイスティック３５の操作信号は測定部３４を前後左右に移動させるための移動信号として入力される。回転ノブ３５ａの操作信号は、前述と同様に測定部３４を上下に移動させるための信号として入力される。制御部７０は、これらの移動信号によりＸＹＺ駆動部３６を駆動制御し、測定部３４を被検眼に対して移動させる。
【００２９】
また、スイッチ３８ａ及び３８ｂの操作信号が入力されると、制御部７０は顎受け移動機構５４により顎受け３２ａを上下に移動する。スイッチ３５ｂの信号は測定開始信号として使用される。他の自覚検眼のみに使用する操作スイッチの信号については、他覚測定モード時では入力不可とされる。
【００３０】
他覚測定が終了後、スイッチ１５２により自覚測定モードに切換えると、制御部７０はモニタ１３７の表示を自覚検眼情報の表示に切換える。例えば、図６で図示した自覚検眼データ表示部１４１の表示形態と同じであり、現在の自覚検眼の測定データ（Ｓ，Ｃ，Ａ等）の表示と、自覚検眼の際に参考とする他覚測定データの表示と、視標呈示装置２０で呈示中の視標の表示等が含まれる。また、自覚測定モードに切換えられると、制御部７０はスイッチパネル１３９に配置されたスイッチ１４３〜１５０の操作信号を、自覚測定用の操作信号として入力可能にする。また、制御部７０は、前述と同様に、回転ノブ３５ａの操作信号を検眼窓４に配置するレンズの屈折度数の切換え信号として入力可能にする。スイッチ３８ａ及び３８ｂの信号は、乱視軸検査及び乱視度数検査において検眼窓４に配置されるクロスシリンダレンズを反転切換する信号として用いられる。スイッチ３５ｂは、検眼プログラムの検査段階を次に進める信号として用いられる。これらのスイッチは他覚測定用と自覚検眼用の両者で兼用させると、スイッチ構成を簡略できて都合が良い。
【００３１】
コントローラユニット１４０は、第１の実施形態と同様に、他覚測定および自覚測定の両方に兼用する構成とし、他覚測定においては眼屈折力測定装置３０の操作部材として用いられ、自覚測定において検眼装置本体１や視標呈示装置２０の操作部材として用いる。表示モニタ１３７は、他覚測定モード時に被検眼前眼部の観察像や他覚測定の結果を表示し、自覚測定モード時に自覚検眼情報を表示する。よって、自覚検眼装置本体１、視標呈示装置２０、及び他覚測定装置３０の操作部材及びモニタが一つのコントローラ１４０に一体化されたため、検眼システム全体としての無駄を解消することができる。このとき、操作部材の少なくとも一部を自覚測定用と他覚測定用で兼用すると、操作部材の構成を簡略化できて都合が良い。
【図面の簡単な説明】
【００３２】
【図１】第１の実施形態の検眼システム全体の概略構成図である。
【図２】検眼システム全体の制御系ブロック図である。
【図３】第１の実施形態の他覚装置の構成を説明する図である。
【図４】他覚測定装置を搭載するトレイの構成を説明する概略図である。
【図５】他覚測定モードにおける操作部の機能を説明する図である。
【図６】自覚測定モードにおける操作部４０の機能を説明するための図である。
【図７】第２の実施形態を説明する図である。
【符号の説明】
【００３３】
１  自覚検眼装置本体
１３  測定位置検知部
１４  退避位置検知部
３０  他覚測定装置
３４ａ  眼屈折力測定光学系
３４ｂ  前眼部測定光学系
３４  測定部
３５  ジョイスティック
３５ａ  回転ノブ
３５ｂ  頂部スイッチ
３６  ＸＹＺ駆動部
３７  モニタ
４０  操作部
６０  トレイ
６１  移動支基
６２  回転軸
６３  ストッパー部材
７０  制御部
１４０  コントローラ
１４１  自覚検眼データ表示部
１５２  スイッチ
【図１】
2006101942.tif 000003
【図２】
2006101942.tif 000004
【図３】
2006101942.tif 000005
【図４】
2006101942.tif 000006
【図５】
2006101942.tif 000007
【図６】
2006101942.tif 000008
【図７】
2006101942.tif 000009